(57)【特許請求の範囲】
【請求項１】
光ファイバを切断する光ファイバカッタにおいて、
前記光ファイバを位置決めするファイバガイド部を有するカッタ本体と、
前記カッタ本体に移動可能に取り付けられたスライダと、
前記スライダに回転可能に取り付けられ、前記光ファイバに傷を付ける丸刃部材と、
前記丸刃部材を回転させる丸刃回転手段と、
前記丸刃部材を回転させないようにするための第１モードと、前記スライダが前記カッタ本体に対して一方向に移動する毎に前記丸刃回転手段により前記丸刃部材を所定角度回転させるようにするための第２モードと、前記スライダが前記カッタ本体に対して前記一方向に移動すると前記丸刃回転手段により前記丸刃部材を１回のみ所定角度回転させ、その後自動的に前記第１モードに切り換わるようにするための第３モードとを含む複数の回転動作モードのいずれかを設定する回転動作モード設定手段とを備えることを特徴とする光ファイバカッタ。
【請求項２】
前記回転動作モード設定手段は、前記複数の回転動作モードを切り換えるための操作レバーと、前記操作レバーにより前記回転動作モードとして前記第１モードが選択されたときに、前記丸刃回転手段により前記丸刃部材を回転させることがないように前記スライダの前記一方向の移動を規制するストッパとを有することを特徴とする請求項１記載の光ファイバカッタ。
【請求項３】
前記回転動作モード設定手段は、前記カッタ本体に設けられた壁部と、前記壁部を貫通するように配置されたピン部材とを更に有し、
前記操作レバーは、前記ピン部材の一端側に取り付けられており、
前記ストッパは、前記ピン部材の他端部に設けられており、
前記壁部内には、前記ストッパ側に付勢するバネが配置されており、
前記ストッパは、前記操作レバーにより前記回転動作モードとして前記第１モードが選択されたときは前記壁部から突出し、前記操作レバーにより前記回転動作モードとして前記第２モードまたは前記第３モードが選択されたときは前記壁部内に引っ込むように構成されていることを特徴とする請求項２記載の光ファイバカッタ。
【請求項４】
前記ストッパには、前記操作レバーにより前記回転動作モードとして前記第３モードが選択されているときに、前記回転動作モードを強制的に前記第１モードに切り換えるための回転解除ピンが取り付けられており、
前記スライダには、前記回転解除ピンと係合する押付部が設けられていることを特徴とする請求項３記載の光ファイバカッタ。
【請求項５】
前記丸刃回転手段は、前記丸刃部材と一体に回転するギアと、前記カッタ本体に取り付けられ、前記ギアの歯と係合する歯受け部とを有することを特徴とする請求項１〜４のいずれか一項記載の光ファイバカッタ。
【発明の詳細な説明】
【技術分野】
【０００１】
本発明は、光ファイバを切断する光ファイバカッタに関するものである。
【背景技術】
【０００２】
従来の光ファイバカッタとしては、例えば特許文献１に記載されているように、光ファイバを保持する光ファイバホルダが装着されるホルダガイドを有する本体と、本体の上面に開閉自在に取り付けられた蓋部と、本体に固定された直線ガイドに沿ってスライドするスライダと、スライダに固定され、光ファイバに初期傷を付ける丸刃部材とを備えたものが知られている。
【先行技術文献】
【特許文献】
【０００３】
【特許文献１】特開２００１−２９６４３０号公報
【発明の概要】
【発明が解決しようとする課題】
【０００４】
しかしながら、上記従来技術においては、以下の問題点が存在する。即ち、丸刃部材が繰り返し何度も使用されると、丸刃部材の切れ具合が低下する。このため、丸刃部材をスライダに対して回転可能に取り付けた構造とし、丸刃部材の切れ具合が低下すると、丸刃部材を所定角度だけ回転させて、丸刃部材における光ファイバとの接触部位を変えるようにしたものが提案されている。しかし、作業者が自ら丸刃部材の固定を緩めて丸刃部材を回転させるとなると、作業者の負担が大きくなるばかりでなく、丸刃部材における光ファイバとの接触部位を適切に変更することが難しく、丸刃部材を無駄なく使用することが困難となる。
【０００５】
本発明の目的は、作業者に負担をかけることなく、丸刃部材を無駄なく使用することができる光ファイバカッタを提供することである。
【課題を解決するための手段】
【０００６】
本発明は、光ファイバを切断する光ファイバカッタにおいて、光ファイバを位置決めするファイバガイド部を有するカッタ本体と、カッタ本体に移動可能に取り付けられたスライダと、スライダに回転可能に取り付けられ、光ファイバに傷を付ける丸刃部材と、丸刃部材を回転させる丸刃回転手段と、丸刃部材を回転させないようにするための第１モードと、スライダがカッタ本体に対して一方向に移動する毎に丸刃回転手段により丸刃部材を所定角度回転させるようにするための第２モードと、スライダがカッタ本体に対して一方向に移動すると丸刃回転手段により丸刃部材を１回のみ所定角度回転させ、その後自動的に第１モードに切り換わるようにするための第３モードとを含む複数の回転動作モードのいずれかを設定する回転動作モード設定手段とを備えることを特徴とするものである。
【０００７】
このような本発明の光ファイバカッタにおいては、カッタ本体のファイバガイド部に光ファイバを位置決めした状態で、スライダを初期位置からカッタ本体に対して一方向に移動させることで、丸刃部材により光ファイバに傷を付けて光ファイバを切断する。このとき、回転動作モード設定手段により回転動作モードとして第１モードが設定されているときは、スライダをカッタ本体に対して一方向に移動させても、丸刃部材が回転することは無い。一方、回転動作モード設定手段により回転動作モードとして第２モードが設定されているときは、スライダがカッタ本体に対して一方向に移動する毎に、丸刃回転手段により丸刃部材が所定角度回転する。従って、丸刃部材の切れ具合が特に低下していない場合は、丸刃部材を回転させないように回転動作モードを第１モードに設定し、丸刃部材の切れ具合が低下した場合は、丸刃部材を所定角度回転させるように回転動作モードを第２モードに設定すれば良い。このように回転動作モードが第２モードに設定されているときは、スライダをカッタ本体に対して一方向に移動させるだけで、丸刃部材が所定角度回転する。これにより、作業者が自ら丸刃部材の固定を緩めて丸刃部材を回転させる必要が無いため、作業者に負担をかけなくて済む。また、丸刃部材は常に決まった角度だけ回転するので、作業者が丸刃部材の状態を適切に管理することで、丸刃部材を無駄なく使用することができる。
【０００９】
また、丸刃部材の切れ具合が低下した場合は、回転動作モード設定手段により回転動作モードとして第３モードを設定することで、丸刃部材を１回のみ所定角度回転させて、丸刃部材における光ファイバとの接触部位を変更する。この場合には、丸刃部材が１回のみ回転した後は、回転動作モードが自動的に第１モードに切り換わるため、丸刃部材の当該接触部位が何度も使用されることになる。このため、丸刃部材の当該接触部位の切れ具合が悪くなったら、再び回転動作モード設定手段により回転動作モードとして第３モードを設定すれば良い。従って、作業者による作業が容易になると共に、丸刃部材の全ポジションを均等に使うことができる。これにより、作業者の負担を一層軽減しつつ、丸刃部材を確実に無駄なく使用することができる。
【００１０】
回転動作モード設定手段は、複数の回転動作モードを切り換えるための操作レバーと、操作レバーにより回転動作モードとして第１モードが選択されたときに、丸刃回転手段により丸刃部材を回転させることがないようにスライダの一方向の移動を規制するストッパとを有することが好ましい。
【００１１】
この場合には、操作レバーにより回転動作モードとして第１モードが選択されたときは、スライダがカッタ本体に対して一方向に移動しても、ストッパによってスライダの移動が規制され、丸刃部材が回転することは無い。従って、簡単な構造で、丸刃部材を回転させない様にすることができる。
【００１２】
このとき、回転動作モード設定手段は、カッタ本体に設けられた壁部と、壁部を貫通するように配置されたピン部材とを更に有し、操作レバーは、ピン部材の一端側に取り付けられており、ストッパは、ピン部材の他端部に設けられており、壁部内には、ストッパ側に付勢するバネが配置されており、ストッパは、操作レバーにより回転動作モードとして第１モードが選択されたときは壁部から突出し、操作レバーにより回転動作モードとして第２モードまたは第３モードが選択されたときは壁部内に引っ込むように構成されていることが好ましい。
【００１３】
この場合には、回転動作モードとして第１モードが選択されたときは、ストッパが壁部から突出するので、ストッパによってスライダの移動が規制され、丸刃回転手段により丸刃部材を回転させることができない。一方、回転動作モードとして第２モードまたは第３モードが選択されたときは、ストッパが壁部内に引っ込むので、ストッパによってスライダの移動が規制されることが無く、丸刃回転手段により丸刃部材を回転させることが可能となる。
【００１４】
このとき、ストッパには、操作レバーにより回転動作モードとして第３モードが選択されているときに、回転動作モードを強制的に第１モードに切り換えるための回転解除ピンが取り付けられており、スライダには、回転解除ピンと係合する押付部が設けられていることが好ましい。
【００１５】
この場合には、回転動作モードとして第３モードが選択されているときに、スライダをカッタ本体に対して一方向に移動させると、丸刃回転手段により丸刃部材が１回のみ所定角度回転する。その後、スライダの押付部が回転解除ピンに当たって回転解除ピンを押し付ける。すると、その回転解除ピンの動きに連動して操作レバーが動作し、回転動作モードが強制的に第１モードに切り換えられる。このように簡単な構造で、第３モードの動作を実現することができる。
【００１６】
また、好ましくは、丸刃回転手段は、丸刃部材と一体に回転するギアと、カッタ本体に取り付けられ、ギアの歯と係合する歯受け部とを有する。
【００１７】
この場合には、スライダをカッタ本体に対して一方向に移動させると、歯受け部がギアに当たってギアを回転させ、これに伴って丸刃部材が回転するようになる。従って、丸刃回転手段を簡単な構造で実現することができる。
【発明の効果】
【００１８】
本発明によれば、作業者に負担をかけることなく、丸刃部材を無駄なく使用し、丸刃部材の長寿命化を図ることができる。
【図面の簡単な説明】
【００１９】
【図１】本発明に係わる光ファイバカッタの一実施形態を示す斜視図である。
【図２】図１に示した光ファイバカッタの蓋部を開いた状態を示す斜視図である。
【図３】図１に示した光ファイバカッタの側面図及び背面図である。
【図４】図３に示した光ファイバカッタの部分拡大側面図（一部断面を含む）である。
【図５】図３に示した光ファイバカッタの部分拡大背面図（一部断面を含む）である。
【図６】図３に示した光ファイバカッタの一部分を除いた状態の側面図である。
【図７】丸刃部材の回転動作モードを非回転モードに設定した場合における光ファイバカッタの背面図及び背面方向から見た断面図である。
【図８】丸刃部材の回転動作モードを非回転モードに設定した場合における光ファイバカッタの側面図及び側面方向から見た断面図である。
【図９】図８に示した状態からスライダを後側に移動させたときの光ファイバカッタの側面図及び側面方向から見た断面図である。
【図１０】丸刃部材の回転動作モードを常時回転モードに設定した場合における光ファイバカッタの背面図及び背面方向から見た断面図である。
【図１１】丸刃部材の回転動作モードを常時回転モードに設定した場合における光ファイバカッタの側面図及び側面方向から見た断面図である。
【図１２】図１１に示した状態からスライダを後側に移動させたときの光ファイバカッタの側面図及び側面方向から見た断面図である。
【図１３】丸刃部材の回転動作モードを１回回転モードに設定した場合における光ファイバカッタの背面図及び背面方向から見た断面図である。
【図１４】丸刃部材の回転動作モードを１回回転モードに設定した場合における光ファイバカッタの側面図及び側面方向から見た断面図である。
【図１５】図１３に示した状態からスライダを後側に移動させたときの光ファイバカッタの背面方向から見た断面図である。
【図１６】図１３に示した状態からスライダを後側に移動させたときの光ファイバカッタの背面図である。
【発明を実施するための形態】
【００２０】
以下、本発明に係わる光ファイバカッタの好適な実施形態について、図面を参照して詳細に説明する。
【００２１】
図１及び図２は、本発明に係わる光ファイバカッタの一実施形態を示す斜視図である。図３は、図１及び図２に示した光ファイバカッタの側面図及び背面図である。各図において、本実施形態の光ファイバカッタ１は、光ファイバ（図示せず）を切断する装置である。
【００２２】
光ファイバカッタ１は、断面略Ｉ字型のカッタ本体２と、このカッタ本体２に支軸部３を介して開閉自在に連結された蓋部４とを備えている。カッタ本体２は、基台５と、この基台５の上方に配置された載置台６と、基台５と載置台６とを繋ぐ連結部７とを有している。
【００２３】
載置台６の上面には、切断すべき光ファイバを保持するファイバホルダ８を位置決めする略矩形凹状のホルダガイド部９が形成されている。載置台６におけるホルダガイド部９に隣接した部位には、カッタ本体２の前後方向（載置台６上に置かれた光ファイバの軸方向に直交する方向）に延びる露出孔６ａが形成されている。また、載置台６の上面には、１対のゴム付きの下クランプ１０が露出孔６ａを挟むように固定されている。さらに、載置台６の上面の前端部（支軸部３とは反対側の端部）には、磁石受け１１が設けられている。
【００２４】
カッタ本体２には、スライダ１２が前後方向に移動可能に取り付けられている。スライダ１２は、基台５と載置台６との間の空間に配置されている。連結部７の一側面には、前後方向に延びる断面Ｕ字状のガイドレール１３が取り付けられている（図６参照）。また、スライダ１２の裏面には、ボールスライド（図示せず）を介してガイドレール１３に摺動可能に支持されるガイドブロック１５が取り付けられている（図６参照）。これにより、スライダ１２は、ガイドレール１３に沿って前後方向に移動する。また、スライダ１２の裏面の後端側には、ラバーゴム等からなる当接部１６が装着されている。
【００２５】
スライダ１２の正面には、丸刃取付部材１７が２つのネジによりネジ止め固定されている。丸刃取付部材１７には、光ファイバに傷を付ける円盤状の丸刃部材１９が回転可能に取り付けられている。丸刃部材１９は、上記の露出孔６ａから上方に僅かに突出するように丸刃取付部材１７に取り付けられている。丸刃部材１９には円形ギア２０が取り付けられており、丸刃部材１９及び円形ギア２０が一体で回転可能となっている。また、スライダ１２の上部には、突部２１が丸刃部材１９に隣接して配置されている。
【００２６】
基台５のスライダ１２側の後端部には、略コの字状の突起２２が立設されており、この突起２２には、前方に延びるアーム状部材２３が固定されている。アーム状部材２３には、図４にも示すように、円形ギア２０の歯と係合する歯受け部２４が回動可能に支持されている。アーム状部材２３と歯受け部２４との間には、上側（歯受け部２４側）に付勢するコイルバネ２５が配置されている。
【００２７】
ここで、円形ギア２０、突起２２、アーム状部材２３、歯受け部２４及びコイルバネ２５は、丸刃部材１９を回転させる丸刃回転手段を構成している。
【００２８】
基台５の中央後端部には、カッタ本体２の一部分である壁部２６が設けられている。上記の蓋部４は、壁部２６の上部に支軸部３を介して開閉自在に連結されている。壁部２６のスライダ１２側の側面の下部には、スライダ１２の当接部１６と係合するストッパ２７が固定されている。このストッパ２７は、スライダ１２の後方への移動を規制するものである。
【００２９】
壁部２６におけるストッパ２７の上側の位置には、図５に示すように、ピン部材２８が貫通している。ピン部材２８の一端側（スライダ１２の反対側）には、丸刃部材１９の回転動作モードを切り換えるための操作レバーピン２９が取り付けられている。
【００３０】
丸刃部材１９の回転動作モードとしては、丸刃部材１９を回転させないようにするための非回転モード（第１モード）と、スライダ１２が後方に移動する毎に丸刃部材１９を所定角度（１５度）だけ回転させるようにするための常時回転モード（第２モード）と、スライダ１２が後方に移動すると丸刃部材１９を１回のみ所定角度だけ回転させ、その後に自動的に非回転モードに切り換わることにより、丸刃部材１９を回転させないようにするための１回回転モード（第３モード）という３つのモードがある。このような回転動作モードは、ピン部材２８を回転させながら操作レバーピン２９を上下方向に動かすことで切換可能である。
【００３１】
壁部２６におけるスライダ１２側の反対側の端部には、操作レバーピン２９を非回転モードに対応する位置に保持するための切欠部３０が形成されている。また、壁部２６における切欠部３０の上側には、操作レバーピン２９を常時回転モードに対応する位置に保持するための切欠部３１が形成され、壁部２６における切欠部３０の下側には、操作レバーピン２９を１回回転モードに対応する位置に保持するための切欠部３２が形成されている。
【００３２】
ピン部材２８の他端部（スライダ１２側の端部）には、ストッパ３３が設けられている。このストッパ３３は、上記の歯受け部２４が円形ギア２０に当たらない位置でスライダ１２の後方への移動を規制するものである。つまり、ストッパ３３は、丸刃部材１９を回転させないようにスライダ１２の後方への移動を規制するものである。
【００３３】
壁部２６の内部には、ストッパ３３側に付勢するコイルバネ３４が配置されている。従って、通常時には、コイルバネ３４の付勢力によって操作レバーピン２９が切欠部３０に入り込むことで、回転動作モードが非回転モードに設定された状態となっている。この状態では、ストッパ３３が壁部２６からスライダ１２側に突出している。
【００３４】
ストッパ３３には、回転解除ピン３５が下方に延びるように取り付けられている。回転解除ピン３５は、図６に示すように、ピン部材２８の回転によって操作レバーピン２９と連動して動くようになっている。操作レバーピン２９が切欠部３０に入り込むことで非回転モードに対応する位置に保持された状態では、回転解除ピン３５は斜め前側下方に延びている（図８参照）。操作レバーピン２９が切欠部３１に引っ掛かることで常時回転モードに対応する位置に保持された状態では、回転解除ピン３５は真下方向（垂直方向）に延びている（図１１参照）。操作レバーピン２９が切欠部３２に引っ掛かることで１回回転モードに対応する位置に保持された状態では、回転解除ピン３５は、操作レバーピン２９が非回転モードに対応する位置に保持された状態よりも前方に延びている（図１４参照）。
【００３５】
ここで、壁部２６、ピン部材２８、操作レバーピン２９、切欠部３０〜３２、ストッパ３３、コイルバネ３４及び回転解除ピン３５は、丸刃部材１９を回転させないようにするための第１モードと、スライダ１２がカッタ本体２に対して一方向に移動する毎に丸刃回転手段（前述）により丸刃部材１９を所定角度回転させるようにするための第２モードと、スライダ１２がカッタ本体２に対して一方向に移動すると丸刃回転手段により丸刃部材１９を１回のみ所定角度回転させ、その後自動的に第１モードに切り換わるようにするための第３モードとを含む複数の回転動作モードのいずれかを設定する回転動作モード設定手段を構成している。
【００３６】
蓋部４の裏面には、上記の丸刃部材１９により傷が付けられた光ファイバに曲げを付与して光ファイバを切断するゴム付きの枕部３６が固定されている。枕部３６は、コイルバネ（図示せず）により蓋部４の裏面側（カッタ本体２側）に付勢されている。枕部３６には、蓋部４がカッタ本体２に対して閉じられた時に上記の突部２１と係合する係合片３７が取り付けられている。
【００３７】
また、蓋部４の裏面には、１対のゴム付きの上クランプ３８が枕部３６を挟むように固定されている。各上クランプ３８は、上記の各下クランプ１０と協働して、載置台６上に置かれた光ファイバをクランプする。蓋部４の裏面の先端部（前端部）には、上記の磁石受け１１に吸着されるマグネット３９と取っ手４０とが取り付けられている。
【００３８】
以上のような光ファイバカッタ１を用いて光ファイバの切断処理を実施するときは、まず光ファイバをファイバホルダ８に保持した後、蓋部４を開いた状態で、カッタ本体２の載置台６に設けられたホルダガイド部９にファイバホルダ８をセットする。
【００３９】
続いて、スライダ１２がカッタ本体２に対して最も前側の位置（初期位置）にある状態において、蓋部４を閉じる。すると、光ファイバが各クランプ１０，３８により挟み込まれる。また、蓋部４に取り付けられた係合片３７がスライダ１２の突部２１に当接し、枕部３６がバネ（図示せず）の付勢力に抗した状態で保持されるようになる。
【００４０】
続いて、スライダ１２をカッタ本体２に対して後方に移動させる。すると、丸刃部材１９が光ファイバに接触することで、光ファイバに傷が付けられる。そして、スライダ１２を更に後方に移動させると、突部２１が係合片３７を通過するため、枕部３６がバネ（図示せず）の付勢力により下降して光ファイバに当たり、光ファイバに曲げが付与される。このとき、光ファイバの先端側及び根元側がクランプ１０，３８で保持されているため、光ファイバには張力が付与される。その結果、光ファイバに付けられた傷を起点として光ファイバが破断する。
【００４１】
ここで、図７及び図８に示すように、操作レバーピン２９が切欠部３０に入り込むことで、回転動作モードが非回転モードに設定されている通常状態では、ストッパ３３が壁部２６から突出している。この状態では、光ファイバが切断された後に、図９に示すように、スライダ１２を更に後方に移動させると、上記の当接部１６がストッパ３３に当たるようになる。このため、上記の歯受け部２４が円形ギア２０に当たらないため、丸刃部材１９が回転することがない。
【００４２】
その後、蓋部４を開いてスライダ１２を初期位置に戻してから、上記と同様にして新たな光ファイバの切断処理を実施する際には、丸刃部材１９における前回と同じ部位で光ファイバに傷を付けることとなる。
【００４３】
また、図１０及び図１１に示すように、操作レバーピン２９をコイルバネ３４の付勢力に抗して切欠部３１に引っ掛けると、回転動作モードが常時回転モードに設定されるようになり、ストッパ３３が壁部２６の内部に引っ込んだ状態となる。この状態では、光ファイバが切断された後に、スライダ１２を更に後方に移動させると、上記の歯受け部２４が円形ギア２０に当接し、円形ギア２０の歯がコイルバネ２５の付勢力に抗して歯受け部２４を下側に押し付けながら歯受け部２４の上に載っかることで、円形ギア２０が所定角度（１５度）だけ回転し、これに伴って丸刃部材１９も所定角度だけ回転する。そして、スライダ１２を更に後方に移動させると、図１２に示すように、上記の当接部１６がストッパ２７に当たるため、これ以上スライダ１２が後方に移動することはない。
【００４４】
その後、蓋部４を開いてスライダ１２を初期位置に戻してから、上記と同様にして新たな光ファイバの切断処理を実施する際には、丸刃部材１９における前回と所定角度ずれた部位で光ファイバに傷を付けることとなる。このとき、ストッパ３３は壁部２６の内部に引っ込んだ状態に維持されているため、スライダ１２を後方に移動させると、丸刃部材１９が再び所定角度だけ同じ方向に回転するようになる。
【００４５】
また、図１３及び図１４に示すように、操作レバーピン２９をコイルバネ３４の付勢力に抗して切欠部３２に引っ掛けると、回転動作モードが１回回転モードに設定されるようになり、ストッパ３３が壁部２６の内部に引っ込んだ状態となる。この状態では、光ファイバが切断された後に、スライダ１２を更に後方に移動させると、上記の常時回転モードと同様に、上記の歯受け部２４が円形ギア２０に当接するため、円形ギア２０が所定角度だけ回転し、これに伴って丸刃部材１９も所定角度だけ回転する。
【００４６】
そして、スライダ１２を更に後方に移動させると、図１５に示すように、上記のガイドブロック１５が回転解除ピン３５に当たって回転解除ピン３５を後側に押し込む。すると、図１６に示すように、ピン部材２８が回転し、コイルバネ３４の付勢力により操作レバーピン２９が切欠部３０に入り込む（図１６の（ａ）→（ｂ）参照）ため、ストッパ３３が壁部２６から突出した状態となる。つまり、丸刃部材１９が１回のみ所定角度だけ回転した後に、回転動作モードが自動的に１回回転モードから非回転モードに切り換わることとなる。
【００４７】
その後、蓋部４を開いてスライダ１２を初期位置に戻してから、上記と同様にして新たな光ファイバの切断処理を実施する際には、丸刃部材１９における前回と所定角度ずれた部位で光ファイバに傷を付けることとなる。ただし、このときには回転動作モードは非回転モードに切り換わっているので、スライダ１２を更に後方に移動させると、上記の当接部１６がストッパ３３に当たり、丸刃部材１９が回転することはない。
【００４８】
以上のことから、丸刃部材１９の切れ具合が特に低下していない場合には、操作レバーピン２９により回転動作モードを非回転モードに設定することで、光ファイバの切断後に丸刃部材１９を回転させないようにする。一方、丸刃部材１９の切れ具合が低下した場合には、操作レバーピン２９により回転動作モードを常時回転モードまたは１回回転モードに設定することで、光ファイバの切断後に丸刃部材１９を所定角度だけ回転させるようにする。
【００４９】
以上のように本実施形態においては、操作レバーピン２９により回転動作モードが常時回転モードまたは１回回転モードに設定されたときは、スライダ１２をカッタ本体２に対して後側に移動させるだけで、上記の歯受け部２４が円形ギア２０に当たって丸刃部材１９が所定角度だけ回転するので、作業者が自ら丸刃部材１９の固定を緩めて丸刃部材１９を回転させる必要が無い。これにより、作業者に余計な負担をかけずに丸刃部材１９を回転させることができ、メンテナンスの作業性も向上する。
【００５０】
このとき、操作レバーピン２９により回転動作モードが１回回転モードに設定されたときは、スライダ１２を後側に移動させた時に丸刃部材１９が１回のみ所定角度だけ回転し、その後は回転動作モードが自動的に非回転モードに切り換わり、丸刃部材１９が回転しないようになるので、例えば丸刃部材１９の切れ具合が低下していないにも関わらず丸刃部材１９を回転させるといったことが防止される。これにより、丸刃部材１９の全ポジションの切れ具合が悪くなるまで、丸刃部材１９をほぼ全周にわたって均等に無駄なく使用することができる。これにより、丸刃部材１９の寿命を十分長くすることが可能となると共に、丸刃部材１９の管理も容易に行えるようになる。
【００５１】
また、操作レバーピン２９により回転動作モードを１回回転モードに設定したときは、丸刃部材１９を１回のみ回転させた後に、作業者が操作レバーピン２９をいちいち動かして、回転動作モードを非回転モードに切り換える必要が無くなる。これにより、作業者の負担を一層軽減することができる。また、使用用途に応じた回転動作モードの選択も容易に可能となる。
【００５２】
なお、本発明は、上記実施形態に限定されるものではない。例えば上記実施形態では、丸刃部材１９の回転動作モードとして非回転モード、常時回転モード及び１回回転モードという３モードがあるが、１回回転モードについては特に無くても良い。この場合には、操作レバーピン２９により回転動作モードが非回転モードから常時回転モードに切り換えられた状態で、丸刃部材１９を１回のみ所定角度だけ回転させた後に、操作レバーピン２９により回転動作モードを常時回転モードから非回転モードに戻せば良い。
【符号の説明】
【００５３】
１…光ファイバカッタ、２…カッタ本体、９…ホルダガイド部（ファイバガイド部）、１２…スライダ、１５…ガイドブロック（押付部）、１６…当接部、１９…丸刃部材、２０…円形ギア（丸刃回転手段）、２２…コの字状突起（丸刃回転手段）、２３…アーム状部材（丸刃回転手段）、２４…歯受け部（丸刃回転手段）、２５…コイルバネ（丸刃回転手段）、２６…壁部（回転動作モード設定手段）、２８…ピン部材（回転動作モード設定手段）、２９…操作レバーピン（回転動作モード設定手段）、３０〜３２…切欠部（回転動作モード設定手段）、３３…ストッパ（回転動作モード設定手段）、３４…コイルバネ（回転動作モード設定手段）、３５…回転解除ピン（回転動作モード設定手段）。
【図１】
0005217011.tif 000002
【図２】
0005217011.tif 000003
【図３】
0005217011.tif 000004
【図４】
0005217011.tif 000005
【図５】
0005217011.tif 000006
【図６】
0005217011.tif 000007
【図７】
0005217011.tif 000008
【図８】
0005217011.tif 000009
【図９】
0005217011.tif 000010
【図１０】
0005217011.tif 000011
【図１１】
0005217011.tif 000012
【図１２】
0005217011.tif 000013
【図１３】
0005217011.tif 000014
【図１４】
0005217011.tif 000015
【図１５】
0005217011.tif 000016
【図１６】
0005217011.tif 000017